(57)【要約】      （修正有）【課題】コストを従来よりも安価に、かつ織物の質感を低下させず、鮮明な染色された織物を提供する。【解決手段】片面又は両面に染色された織物１００であって、片面又は両面には、単数本又は複数本のパイル状の化学繊維１０が露出しており、化学繊維１０上に昇華転写塗料３０が転写されている。昇華転写塗料３０は、化学繊維１０上に吸着、結合し、織物１００は染色される。【選択図】図２
0003219483.tif 000002
【実用新案登録請求の範囲】
【請求項１】
片面又は両面に染色された織物であって、
前記片面又は両面には、単数本又は複数本のパイル状の化学繊維が露出しており、
前記化学繊維上に昇華転写塗料が転写されていることを特徴とする織物。
【請求項２】
前記化学繊維の先端は、切断されていることを特徴とする請求項１記載の織物。
【請求項３】
前記化学繊維は、複数の高さを有することを特徴とする請求項１又は２に記載の織物。
【請求項４】
前記化学繊維は、ポリエステル又はアクリルであることを特徴とする請求項１〜３の何れか１項に記載の織物。
【請求項５】
前記織物は、タオルであることを特徴とする請求項１〜４の何れか１項に記載の織物。
【請求項６】
前記織物は、さらに天然繊維を備えることを特徴とする請求項１〜５の何れか１項に記載の織物。
【考案の詳細な説明】
【技術分野】
【０００１】
本考案は、染色された織物に関する。
【背景技術】
【０００２】
従来タオルなどの繊維質の織物に多色の染色を施すときには、一般にインジェクタにより塗料を塗布させ染色していた。
【０００３】
例えば、特許文献１では、布帛素材に、水溶性金属塩類から選択される１種または２種以上の凝集成分と、水溶性高分子および水不溶性親水性高分子から選択される１種または２種以上の親水性成分と、撥水剤およびワックス剤から選択される１種または２種以上の疎水性成分とが含有されてなるインクジェット染色用布帛が記載されている。
【０００４】
また、特許文献２では、布帛の裏面側の組織内部に、水不透性の合成樹脂層が形成されてなるインクジェット染色用布帛が記載されている。
【先行技術文献】
【特許文献】
【０００５】
【特許文献１】特開平１１−２６９７８３号公報
【特許文献２】特開平１０−５３９７４号公報
【考案の概要】
【考案が解決しようとする課題】
【０００６】
しかしながら、上記のインジェクタによる染色では、まず織物に前処理を施さなければならず、塗料によっては後処理も必要である。また、前処理を行うことができる工場は限られており、さらに前処理を施した後は、高温多湿等を避け、ある程度の温度や湿度を調整しなければならなかった。よって、上記の方法では、製造コストが高くなっていた。さらに、染色の色を鮮明にするためには、染色面の繊維密度を高くする必要があり、係る場合には繊維が固くなり、特にタオルなどは肌触り等の質感を求められる織物には適していなかった。
【０００７】
そこで上記従来技術が有する問題に鑑み、コストを従来よりも安価に、かつ織物の質感を低下させず、鮮明な染色された織物を提供することを目的とする。
【課題を解決するための手段】
【０００８】
本考案の一態様に係る織物は、片面又は両面に染色された織物であって、前記片面又は両面には、単数本又は複数本のパイル状の化学繊維が露出しており、前記化学繊維上に昇華転写塗料が転写されていることを特徴とする。
【０００９】
このようにすれば、コストを従来よりも安価に、かつ織物の質感を低下させず、鮮明な染色された織物を提供することができる。
【００１０】
このとき、本考案の一態様では、前記化学繊維の先端は、切断されてもよい。
【００１１】
このようにすれば、さらに織物の質感を低下させず、より鮮明に染色することができる。
【００１２】
このとき、本考案の一態様では、前記化学繊維は、複数の高さを有するとしてもよい。
【００１３】
このようにすれば、一度の染色の作業で、染色する織物の面と染色しない織物面を選択することができるので、織物のコストをより安価にすることができる。
【００１４】
このとき、本考案の一態様では、前記化学繊維は、ポリエステル又はアクリルとしてもよい。
【００１５】
このようにすれば、昇華転写塗料が繊維表面に転写されやすくなるので、より鮮明な織物とすることができる。
【００１６】
このとき、本考案の一態様では、前記織物は、タオルとしてもよい。
【００１７】
このようにすれば、コストを従来よりも安価に、かつ織物の質感を低下させず、鮮明な染色されたタオルを提供することができる。
【００１８】
このとき、本考案の一態様では、前記織物は、さらに天然繊維を備えるとしてもよい。
【００１９】
このようにすれば、織物の質感をさらに向上することができる。
【考案の効果】
【００２０】
本考案によれば、コストを従来よりも安価に、かつ織物の質感を低下させず、鮮明な染色された織物を提供することができる。
【図面の簡単な説明】
【００２１】
【図１】図１は、本考案の一実施形態に係る織物を示す図である。
【図２】図２は、本考案の一実施形態又は他の実施形態に係る織物の表面を示す概略図であり、図２（Ａ）は、本考案の一実施形態に係る織物で、パイル状の化学繊維の上に昇華転写塗料が転写されていることを示す図であり、図２（Ｂ）は、本考案の他の実施形態に係る織物で、パイルの先端が切断され、その化学繊維の上に昇華転写塗料が転写されていることを示す図である。
【考案を実施するための形態】
【００２２】
以下に説明する本実施形態は、実用新案登録請求の範囲に記載された本考案の内容を不当に限定するものではなく、本考案の要旨を逸脱しない範囲で変更が可能である。また、本実施形態で説明される構成の全てが本考案の解決手段として必須であるとは限らない。本考案の一実施形態に係る織物について、図を用いながら下記に説明する。
【００２３】
本考案の一実施形態に係る織物１００は、図１に示すように、片面又は両面に染色された織物である。染色は片面でも両面でも構わない。そして、上記片面又は両面には、単数本又は複数本のパイル状の化学繊維が露出しており、上記化学繊維上に昇華転写塗料が転写されていることを特徴とする。なお、本考案の一実施形態に係る織物１００は、図１に示すように、片面又は両面には、単数本又は複数本のパイル状の化学繊維が露出してしるが、上記織物が表面に露出していない部分の材質（母材）は、化学繊維や綿などの天然繊維を使用してもよい。
【００２４】
上述した課題の他、従来、織物への染色は綿などの天然素材へ行われていたが、染色に用いるインクは有機化学合成物質であるので、当該インクと綿などの天然素材との相性が良くないため、鮮明に染色することはできず、染色しても直ぐに色落ちするなどの問題があった。そこで、本考案の一実施形態に係る織物は、上記インクとの相性が良い化学繊維が露出しており、上記化学繊維上に昇華転写塗料が転写されている。さらに図２を用いて、本考案の一実施形態に係る織物１００について詳細に説明する。
【００２５】
図２は、本考案の一実施形態に係る織物の表面を示す概略図であり、図２（Ａ）は、パイル状の化学繊維の上に昇華転写塗料３０が転写されていることを示す図である。図２（Ａ）に示すように、織物の表面にパイル状の化学繊維１０が露出している。当該化学繊維１０は、図２（Ａ）に示すように、パイル状つまり繊維１０をループさせている。
【００２６】
そして、上記化学繊維１０上に昇華転写塗料３０が転写されている。昇華転写塗料３０は、上記化学繊維１０上に吸着、結合し、織物１００は染色される。
【００２７】
昇華転写とは、転写紙という媒体を使用して染色するもので、織物など染色させたい媒体に、転写紙を貼り付けて熱及び圧力をかけ、転写紙上のインクなどの塗料を昇華させ、織物などの媒体に染色させる。本考案の一実施形態に係る織物１００に用いられる昇華転写及び転写紙は、公知のものが用いられ、特に限定はされない。
【００２８】
図２（Ａ）に示すパイル状の化学繊維１０は単数であるが、２本や３本など複数の化学繊維を一度に織り込みパイル状に織物１００表面に露出させても良い。織物１００の化学繊維１０の密度が高いほど、昇華転写塗料３０がより多く繊維表面に転写されるので、染色がより鮮明になる。一方で、化学繊維１０の本数を増やしたり、化学繊維１０を細かく編んで、織物１００の表面に露出させる化学繊維１０の密度を上げすぎると、織物自体が固くなり、質感を低下させる場合がある。よって、化学繊維１０は単数又は２〜３本が好ましい。また、経糸密度は１インチ間で２５本以上、緯糸密度１インチ間で４０本以上が好ましい。
【００２９】
また、図２（Ｂ）に示すように、上記化学繊維の先端１５は、切断されていることが好ましい。このようにすれば、さらに織物１５０の質感を低下させず、より鮮明に染色することができる。これは、化学繊維の先端１５を切断することで、昇華転写塗料３０が化学繊維２０と吸着、結合する面積を増加させるので、当該化学繊維２０上に塗料がより多く乗り、より鮮明に染色することができる。
【００３０】
図２（Ｂ）に示すように、上記化学繊維の先端１５を切断するには、図２（Ａ）に示す化学繊維１０をシャーリングし、化学繊維の先端１５を切断することで、図２（Ｂ）に示すような形状になる。また、シャーリング後かつ昇華転写前に一度洗浄することが好ましい。洗浄された化学繊維上に昇華転写塗料３０が転写されていることが好ましい。
【００３１】
洗浄された化学繊維上に昇華転写塗料が転写されることで、化学繊維上のごみなどの異物を除去できるほか、化学繊維がより垂直になることでその表面が平滑となり、昇華転写塗料が化学繊維上に均一に転写することができ、色むらを防いでより鮮明に染色することができる。
【００３２】
上記化学繊維１０（２０）の好ましい高さは、２ｍｍ〜３ｍｍである。２ｍｍ未満であると柄は再現しやすくなるが、母材に天然素材の綿などを使用した場合には、当該綿の部分が干渉し、色が乗りにくくなる場合がある。一方、３ｍｍを超えると、柄が乗った部分の糸の向きが変わりやすくなり、柄が鮮明でなくなる可能性がある。
【００３３】
上記化学繊維１０（２０）は、複数の高さｈ（ｈ’）を有することが好ましい。これは、織物１００に露出させた化学繊維１０（２０）の高さｈ（ｈ’）を部分的に変えることである。高さを変えることで、一度の染色の作業により、染色する織物の面と染色しない織物の面を選択することができるので、織物のコストをより安価にすることができる。また、部分的に高さｈ（ｈ’）を変えることで、織物としての様々な質感を作り出すことができる。
【００３４】
本考案の一実施形態に係る織物１００に用いられる化学繊維１０（２０）としては、天然繊維以外の繊維であり、例えば、ポリエステル、アクリル、ポリウレタン、ナイロン、アクリレート、ビニロン、ポリプロピレン、ポリ塩化ビニル、ポリエチレン、ビニリデン、アラミド、ポリアリレート、ポリ乳酸、アセテート、トリアセテートが用いられる。また、半合成繊維も適用可能であるが、昇華転写塗料との相性からすると、化学繊維が好ましい。
【００３５】
上記の中でも上記化学繊維１０（２０）は、ポリエステル又はアクリルであることが好ましい。昇華転写塗料は化学合成有機物であるので、同じく化学合成有機物であるポリエステル又はアクリルと容易に吸着、結合するため、上記化学繊維１０（２０）は、ポリエステル又はアクリルであることが好ましい。このようにすれば、昇華転写塗料が繊維表面に転写されやすくなり、より染色な織物とすることができる。
【００３６】
上記織物１００は、タオルであることが好ましい。このようにすれば、織物の質感をさらに向上することができる。上記織物１００はタオルの他、織物表面に化学繊維を露出させたものであれば適用可能である。
【００３７】
上記織物１００は、さらに天然繊維を備えることが好ましい。これは、織物表面ではなく、織物の母材や、染色しない面に用いられることが好ましい。このようにすれば、織物の質感をさらに向上することができる。
【００３８】
以上のように、本考案の一実施形態に係る織物によれば、コストを従来よりも安価に、かつ織物の質感を低下させず、鮮明な染色された織物を提供することができる。
【００３９】
なお、上記のように本考案の各実施形態について詳細に説明したが、本考案の新規事項及び効果から実体的に逸脱しない多くの変形が可能であることは、当業者には、容易に理解できるであろう。従って、このような変形例は、全て本考案の範囲に含まれるものとする。
【００４０】
例えば、明細書又は図面において、少なくとも一度、より広義又は同義な異なる用語と共に記載された用語は、明細書又は図面のいかなる箇所においても、その異なる用語に置き換えることができる。また織物の構成、動作も本考案の各実施形態及び各実施例で説明したものに限定されず、種々の変形実施が可能である。
【符号の説明】
【００４１】
１０、２０  化学繊維、１５  化学繊維の先端、３０  昇華転写塗料、ｈ、ｈ’  （化学繊維の）高さ
１００  １５０  織物
【図１】
0003219483.tif 000003
【図２】
0003219483.tif 000004